【手続補正書】
【提出日】平成22年8月6日(2010.8.6)
【手続補正１】
【補正対象書類名】特許請求の範囲
【補正対象項目名】全文
【補正方法】変更
【補正の内容】
【特許請求の範囲】
【請求項１】
アクセスノードを操作する方法であって、
前記アクセスノードによってサービス提供される複数のグループメンバの各々に対するユニキャスト伝送コスト推定値をメモリ内に格納することと、
前記アクセスノードによってサービス提供される第１のグループに対応するグループメンバの変化に従って、前記第１のグループに対応するグループメンバのリストを更新することと、
前記アクセスノードによってサービス提供される第１のグループのメンバに対応する前記ユニキャスト伝送コスト推定値から、前記変化の後に、マルチキャストモードのマルチキャスト伝送コスト推定値と、ユニキャストモードのマルチキャスト伝送コスト推定値とを決定することと、
前記決定された各伝送コスト推定値に基づいて、前記第１のグループへの伝送のために、マルチキャストモードのマルチキャスト伝送か、ユニキャストモードのマルチキャスト伝送かを選択することと
を備える方法。
【請求項２】
前記第１のグループに対して宛先指定されたパケットに含まれるグループ識別子と、前記第１のグループへの伝送のために選択されたマルチキャスト伝送モードを示すマルチキャスト伝送モードインジケータとを、前記メモリ内に格納することを更に備える請求項１に記載の方法。
【請求項３】
前記複数のグループメンバの各々に対して、個々のグループメンバをベースに、前記個々のグループメンバに対するユニキャスト伝送を達成するために使用される伝送電力レベル及び符号化率を格納することを更に備える請求項２に記載の方法。
【請求項４】
前記決定されたモードがマルチキャストモードのマルチキャスト伝送である場合に、前記第１のグループへマルチキャストパケットを伝送するために使用される伝送電力レベル及び符号化率を示す伝送電力レベル情報及び符号化率情報を、メモリ内に格納することを更に備える請求項３に記載の方法。
【請求項５】
前記第１のグループへマルチキャストパケットを伝送するために使用される表示された伝送電力レベル及び符号化率が、最悪のチャネル条件を有する前記第１のグループのメンバへユニキャストパケットを伝送するために使用される伝送電力レベル及び符号化率と同じである請求項４に記載の方法。
【請求項６】
前記マルチキャストモードのマルチキャスト伝送に対応する第１の伝送コスト推定値と、前記ユニキャストモードのマルチキャスト伝送に対応する第２の伝送コスト推定値とを、前記グループ識別子と関連付けてメモリ内に格納することを更に備える請求項４に記載の方法。
【請求項７】
前記第１の伝送コスト推定値が、前記第１のグループのうちの任意の単一のメンバに対応する前記格納されたユニキャスト伝送コスト推定値よりも高い請求項６に記載の方法。
【請求項８】
使用されると決定されたモードのマルチキャスト伝送に従って、マルチキャストパケット配信動作を実行することを更に備える請求項１に記載の方法。
【請求項９】
マルチキャスト動作を実行することは、
前記ユニキャストモードのマルチキャスト伝送が使用されると決定された場合、前記マルチキャストパケットの別々のコピーを前記グループの各メンバに対して伝送することと、
前記マルチキャストモードのマルチキャスト伝送が使用されると決定された場合、前記マルチキャストパケットの単一のコピーを前記グループの全メンバに伝送することと
を含む請求項８に記載の方法。
【請求項１０】
アクセスノードであって、
前記アクセスノードによってサービス提供される複数のグループメンバの各々に対するユニキャスト伝送コスト推定値を格納する手段と、
前記アクセスノードによってサービス提供される第１のグループに対応するグループメンバの変化に従って、前記第１のグループに対応するグループメンバのリストを更新する手段と、
前記アクセスノードによってサービス提供される第１のグループのメンバに対応する前記ユニキャスト伝送コスト推定値から、前記変化の後に、マルチキャストモードのマルチキャスト伝送コスト推定値と、ユニキャストモードのマルチキャスト伝送コスト推定値とを決定する手段と、
前記決定された各伝送コスト推定値に基づいて、前記第１のグループへの伝送のため、マルチキャストモードのマルチキャスト伝送か、ユニキャストモードのマルチキャスト伝送かを選択する手段と
を備えるアクセスノード。
【請求項１１】
前記第１のグループに対して宛先指定されたパケットに含まれるグループ識別子と、前記第１のグループへの伝送のために選択されたマルチキャスト伝送モードを示すマルチキャスト伝送モードインジケータとを格納する手段を更に備える請求項１０に記載のアクセスノード。
【請求項１２】
前記複数のグループメンバの各々に対して、個々のグループメンバをベースに、前記個々のグループメンバに対するユニキャスト伝送を達成するために使用される伝送電力レベル及び符号化率を格納する手段を更に備える請求項１１に記載のアクセスノード。
【請求項１３】
前記決定されたモードがマルチキャストモードのマルチキャスト伝送である場合に、前記第１のグループへマルチキャストパケットを伝送するために使用される伝送電力レベル及び符号化率を示す伝送電力レベル情報及び符号化率情報を格納し、前記マルチキャストモードのマルチキャスト伝送に対応する第１の伝送コスト推定値と、前記ユニキャストモードのマルチキャスト伝送に対応する第２の伝送コスト推定値とを、前記グループ識別子と関連付けて格納する手段を更に備える請求項１２に記載のアクセスノード。
【請求項１４】
前記ユニキャストモードのマルチキャスト伝送が使用されると決定された場合、前記マルチキャストパケットの別々のコピーを前記グループの各メンバに対して伝送し、前記マルチキャストモードのマルチキャスト伝送が使用されると決定された場合、前記マルチキャストパケットの単一のコピーを前記グループの全メンバに伝送する手段を更に備える請求項１０に記載のアクセスノード。
【請求項１５】
アクセスノードであって、
前記アクセスノードによってサービス提供される複数のグループメンバの各々に対するユニキャスト伝送コスト推定値を含むメモリと、
前記アクセスノードによってサービス提供される第１のグループに対応するグループメンバの変化に従って、前記第１のグループに対応するグループメンバのリストを更新するグループメンバシップモジュールと、
前記アクセスノードによってサービス提供される第１のグループのメンバに対応する前記ユニキャスト伝送コスト推定値から、前記変化の後に、マルチキャストモードのマルチキャスト伝送コスト推定値と、ユニキャストモードのマルチキャスト伝送コスト推定値とを決定する伝送コスト推定モジュールと、
前記決定された各伝送コスト推定値に基づいて、前記第１のグループへの伝送のため、マルチキャストモードのマルチキャスト伝送か、ユニキャストモードのマルチキャスト伝送かを選択するモード決定モジュールと
を備えるアクセスノード。
【請求項１６】
前記メモリが更に、前記第１のグループに対して宛先指定されたパケットを識別するために使用されるグループ識別子と、前記第１のグループへの伝送のために選択されたマルチキャスト伝送モードを示すマルチキャスト伝送モードインジケータとを含む請求項１５に記載のアクセスノード。
【請求項１７】
前記メモリが更に、前記複数のグループメンバの各々に対する格納された情報を含み、前記格納された情報は、個々のグループメンバをベースに、前記個々のグループメンバに対するユニキャスト伝送を達成するために使用される伝送電力レベル及び符号化率を表示する請求項１６に記載のアクセスノード。
【請求項１８】
前記メモリは更に、前記決定されたモードがマルチキャストモードのマルチキャスト伝送である場合に、前記第１のグループへマルチキャストパケットを伝送するために使用される伝送電力レベル及び符号化率を示す格納された伝送電力レベル情報及び符号化率情報をさらに含み、前記マルチキャストモードのマルチキャスト伝送に対応する第１の伝送コスト推定値と、前記ユニキャストモードのマルチキャスト伝送に対応する第２の伝送コスト推定値とを、前記グループ識別子と関連付けて格納する請求項１７に記載のアクセスノード。
【請求項１９】
前記ユニキャストモードのマルチキャスト伝送が使用されると決定された場合、前記マルチキャストパケットの別々のコピーを前記グループの各メンバに対して伝送することと、
前記マルチキャストモードのマルチキャスト伝送が使用されると決定された場合、前記マルチキャストパケットの単一のコピーを前記グループの全メンバに伝送することと
を更に備える請求項１５に記載のアクセスノード。
【請求項２０】
アクセスノードであって、
格納された情報を含むメモリと、
前記メモリに結合されたプロセッサとを備え、前記プロセッサは、
前記アクセスノードによってサービス提供される複数のグループメンバの各々に対するユニキャスト伝送コスト推定値を前記メモリ内に格納し、
前記アクセスノードによってサービス提供される第１のグループに対応するグループメンバの変化に従って、前記第１のグループに対応するグループメンバのリストを更新し、
前記アクセスノードによってサービス提供される第１のグループのメンバに対応する前記ユニキャスト伝送コスト推定値から、前記変化の後に、マルチキャストモードのマルチキャスト伝送のコスト推定値と、ユニキャストモードのマルチキャスト伝送コスト推定値とを決定し、
前記決定された各伝送コスト推定値に基づいて、前記第１のグループへの伝送のため、マルチキャストモードのマルチキャスト伝送か、ユニキャストモードのマルチキャスト伝送かを選択する、
ように前記アクセスノードを制御するように構成されたアクセスノード。
【請求項２１】
前記プロセッサは、前記ユニキャストモードのマルチキャスト伝送が使用されると決定された場合、前記マルチキャストパケットの別々のコピーを前記グループの各メンバに対して伝送し、前記マルチキャストモードのマルチキャスト伝送が使用されると決定された場合、前記マルチキャストパケットの単一のコピーを前記グループの全メンバに伝送するように、前記アクセスノードを更に制御するように構成された請求項２０に記載のアクセスノード。
【請求項２２】
アクセスノードにおいて使用するためのコンピュータ実行可能命令群を含む非トランジトリなコンピュータ読取可能媒体であって、
前記アクセスノードによってサービス提供される複数のグループメンバの各々に対するユニキャスト伝送コスト推定値を、前記アクセスノードにメモリ内に格納させる命令群と、
前記アクセスノードによってサービス提供される第１のグループに対応するグループメンバの変化に従って、前記第１のグループに対応するグループメンバのリストを、前記アクセスノードに更新させる命令群と、
前記アクセスノードによってサービス提供される第１のグループのメンバに対応する前記ユニキャスト伝送コスト推定値から、前記変化の後に、マルチキャストモードのマルチキャスト伝送のコスト推定値と、ユニキャストモードのマルチキャスト伝送コスト推定値とを、前記アクセスノードに決定させる命令群と、
前記決定された各伝送コスト推定値に基づいて、前記第１のグループへの伝送のため、マルチキャストモードのマルチキャスト伝送か、ユニキャストモードのマルチキャスト伝送かを、前記アクセスノードに選択させる命令群と
を備えるコンピュータ読取可能媒体。